(57)【要約】【課題】物品載置棚の前方側において、執務者に執務に集中し易い環境を提供することができる執務エリア形成什器を提供する。【解決手段】執務エリア形成什器１は、床面上に左右に離間して立設される一対の支持体１０と、一対の支持体１０に架設される物品載置棚１１と、後端部が支持体１０に結合されるとともに、前後方向に沿うように床面上に立設される平板状の側部パネル１３と、を備えている。物品載置棚１１の前方側には、側部パネル１３によって側方を遮蔽された執務空間Ａが形成されている。【選択図】図１
2018068976.tif 000002
【特許請求の範囲】
【請求項１】
床面上に左右に離間して立設される一対の支持体と、
一対の前記支持体に架設される物品載置棚と、
後端部が前記支持体に結合されるとともに、前後方向に沿うように前記床面上に立設される平板状の側部パネルと、を備え、
前記物品載置棚の前方側に、前記側部パネルによって側方を遮蔽された執務空間が形成されていることを特徴とする執務エリア形成什器。
【請求項２】
前記側部パネルの上端部は、前記支持体の上端部よりも低く形成されていることを特徴とする請求項１に記載の執務エリア形成什器。
【請求項３】
一端部が前記側部パネルの前端部に結合されるとともに、前後方向または左右方向に沿うように前記床面に立設される平板状の延長パネルをさらに備え、
前記物品載置棚の前方側に、前記側部パネルと前記延長パネルとよって外部から遮蔽された執務空間が形成されていることを特徴とする請求項１または２に記載の執務エリア形成什器。
【請求項４】
前記延長パネルは、一端部が前記側部パネルの前端部に結合されるとともに、左右方向に沿うように前記床面に立設されており、
前記側部パネルと前記延長パネルには、上面が執務作業面を成す天板と物品載置棚の少なくともいずれか一方が跨って支持されていることを特徴とする請求項３に記載の執務エリア形成什器。
【発明の詳細な説明】
【技術分野】
【０００１】
本発明は、物品載置棚を備えた執務エリア形成什器に関するものである。
【背景技術】
【０００２】
教育施設や医療施設、研究施設等の多くの書籍や資料、機器等を用いて執務を行う執務環境下においては、書籍や資料、機器等を載置・保管可能な物品載置棚を室内に配置し、物品載置棚の前方の空間を執務空間として利用する場合が多い（例えば、特許文献１−４参照）。
【先行技術文献】
【特許文献】
【０００３】
【特許文献１】特開２００４−０１６４０１号公報
【特許文献２】特開２０１２−０２００４８号公報
【特許文献３】特開平１１−１３６８１５号公報
【特許文献４】特許第４６７０７８４号公報
【発明の概要】
【発明が解決しようとする課題】
【０００４】
しかしながら、上記従来の物品載置棚の前方の執務空間の利用形態においては、執務空間の物品載置棚と対向する方向以外の方向が完全に開放されることになるため、執務者に執務に集中し易い環境を提供することができない。
【０００５】
そこで本発明は、物品載置棚の前方側の執務空間において、執務者に執務に集中し易い環境を提供することができる執務エリア形成什器を提供しようとするものである。
【課題を解決するための手段】
【０００６】
本発明に係る執務エリア形成什器は、上記課題を解決するために、以下の構成を採用した。
即ち、本発明に係る執務エリア形成什器は、床面上に左右に離間して立設される一対の支持体と、一対の前記支持体に架設される物品載置棚と、後端部が前記支持体に結合されるとともに、前後方向に沿うように前記床面上に立設される平板状の側部パネルと、を備え、前記物品載置棚の前方側に、前記側部パネルによって側方を遮蔽された執務空間が形成されていることを特徴とする。
【０００７】
上記の構成により、物品載置棚の前方側の側方が、支持体から前方に延出する側部パネルによって遮蔽されるため、物品載置棚の前で作業を行う執務者が執務に集中し易くなる。
【０００８】
前記側部パネルの上端部は、前記支持体の上端部よりも低く形成されるようにしても良い。
この場合、支持体の上部領域の前方に、側部パネルに沿って前後方向に連続する空間部が確保されるため、執務者が側部パネルによる圧迫感を感じにくくなるうえ、側部パネルの上方の空間部を通して天井照明を取込み易くなる。したがって、この構成を採用することにより、執務者により快適な環境を提供することができる。
【０００９】
一端部が前記側部パネルの前端部に結合されるとともに、前後方向または左右方向に沿うように前記床面に立設される平板状の延長パネルをさらに備え、前記物品載置棚の前方側に、前記側部パネルと前記延長パネルとよって外部から遮蔽された執務空間が形成されるようにしても良い。
この場合、延長パネルによって執務空間の形状や広がりを容易に変えることができ、執務空間の形成時における自由度を高めることができる。
【００１０】
前記延長パネルは、一端部が前記側部パネルの前端部に結合されるとともに、左右方向に沿うように前記床面に立設されており、前記側部パネルと前記延長パネルには、上面が執務作業面を成す天板と物品載置棚の少なくともいずれか一方が跨って支持されるようにしても良い。
この場合、側部パネルと延長パネルを利用して、執務空間内に天板や物品載置棚を安定した状態で設置することができる。
【発明の効果】
【００１１】
本発明によれば、物品載置棚の前方側の側方が、支持体から前方に延出する側部パネルによって遮蔽されるため、物品載置棚の前方側の執務空間において、執務者に執務に集中し易い環境を提供することができる。
【図面の簡単な説明】
【００１２】
【図１】本発明の一実施形態に係る執務エリア形成什器１の斜視図である。
【図２】本発明の一実施形態に係る執務エリア形成什器１の平面図である。
【図３】本発明の一実施形態に係る執務エリア形成什器１の分解斜視図である。
【図４】本発明の一実施形態の変形例に係る執務エリア形成什器１の平面図である。
【発明を実施するための形態】
【００１３】
以下、本発明の一実施形態を図面に基づいて説明する。
図１は、本実施形態に係る執務エリア形成什器１を示す斜視図である。執務エリア形成什器１は、例えば、教育施設や医療施設、研究施設等において用いられる。
執務エリア形成什器１は、執務室の床面Ｆ上に左右に離間して立設される一対の支持体１０と、一対の支持体１０に架設される複数（四枚）の物品載置棚１１と、後端部が各支持体１０に結合された一対の側部パネル１３と、一端が一方の側部パネル１３の前端部に結合された延長パネル３１と、を備えている。
【００１４】
左右の各支持体１０は、側面視が縦長の長方形状に形成されており、支持体１０に架設される物品載置棚１１は、平面視が横長の長方形状に形成されている。以下の説明においては、支持体１０と物品載置棚１１の短辺に沿う方向を前後方向、物品載置棚１１の長辺に沿う方向を幅方向、床面Ｆと直交する方向を上下方向と称する。また、図１中の物品載置棚１１の手前側を前側、奥側を後側と称する。なお、各図の適所には、前方を指す矢印ＦＲと、上方を指す矢印ＵＰと、左側方を指す矢印ＬＨが記されている。
【００１５】
図２は、執務エリア形成什器１を上方から見た図であり、図３は、構成部品を一部分解して示した執務エリア形成什器１の斜視図である。
左右の各支持体１０は、前後に離間して配置され、それぞれが鉛直上方に起立する一対の金属製の支柱１４と、前後方向に延出し一対の支柱１４を連結する四本の金属製の梁部材１５（連結部材）と、一対の支柱１４と四本の梁部材１５によって囲まれた略長方形状の開口部１６Ａ，１６Ｂ，１６Ｃを閉塞する三枚の閉塞板１７と、を備えている。閉塞板１７は、例えば、合板等によって形成されている。
【００１６】
左右の支持体１０の後端部間（後部側の支柱１４の間）は、上下の各端部が幅方向に延出する金属製の梁部材１８によって連結されている。また、左右の支持体１０の後端部間には、図示しない後部遮蔽板が取り付けられている。
【００１７】
物品載置棚１１は、上面が平坦に形成され、その上面に書籍や書類、機器等を載置可能とされている。本実施形態の場合、四枚の物品載置棚１１が上下方向に離間して左右の支持体１０に架設されている。各物品載置棚１１は、幅方向の両端部が左右の支持体１０の前後の支柱１４部分に結合されている。
【００１８】
左右の各側部パネル１３は、フレーム枠に閉塞板を取り付けた基本構成とされ、全体が長方形状の平板状に形成されている。各側部パネル１３は、前後方向に沿うように執務室の床面Ｆ上に立設されている。側部パネル１３は、支持体１０と略同幅に形成され、後端部が対応する支持体１０に結合された状態において、支持体１０の前端部から設定長さ前方に突出している。
図１に示すように、側部パネル１３の上端部の高さＨ１は、支持体１０の上端部の高さＨ２よりも低く設定されている。
【００１９】
また、左側の側部パネル１３の前端部には、連結部材３０を介して延長パネル３１が結合されている。延長パネル３１は、側部パネル１３と同様の平板状に形成され、左右方向に沿うように床面Ｆ上に立設されている。延長パネル３１は、左側の側部パネル１３の前端部から右側方に略直角に屈曲するように延在している。延長パネル３１の上端部の高さは、側部パネル１３の上端部の高さと同高さに設定されている。
【００２０】
本実施形態の執務エリア形成什器１は、左右の支持体１０に架設された複数の物品載置棚１１の前方側において、左右の側部パネル１３と、延長パネル３１とに囲まれた領域が執務者が執務を行う執務空間Ａとされている。
【００２１】
左側の側部パネル１３と延長パネル３１の執務空間Ａに臨む内側面には、図３に示すように、縦断面が略Ｌ字状の支持ブラケット３５を介して執務用の天板４０が支持固定されている。支持ブラケット３５は、左側の側部パネル１３と延長パネル３１の各内側面に取り付けられ、天板４０は、これらの支持ブラケット３５を介して、左側の側部パネル１３と延長パネル３１とに跨って支持されている。
なお、左側の側部パネル１３と延長パネル３１には、図１中の仮想線で示すように物品載置棚４１をこれらに跨って支持させるようにしても良い。また、左側の側部パネル１３と延長パネル３１には必ずしも天板４０を支持させる必要はなく、外部から持ち込んだ机を執務空間Ａ内に設置しても良い。
また、本実施形態においては、延長パネル３１が左右方向に沿うように床面Ｆ上に立設されているが、図４に示すように、延長パネル３１Ａは前後方向に沿うように床面Ｆ上に立設するようにしても良い。
【００２２】
ここで、側部パネル１３と延長パネル３１の高さ寸法は、これらの上端部が執務空間Ａ内で作業を行う一般的な執務作業者の視線の高さよりも高くなるように設定されている。
【００２３】
以上のように、本実施形態に係る執務エリア形成什器１は、左右の支持体１０に架設される物品載置棚１１の前方側の側方が、支持体１０から前方に延出する側部パネル１３によって遮蔽されているため、物品載置棚１１の前方側の執務空間Ａにいる執務者の側方空間を側部パネル１３によって閉塞することができる。このため、執務空間Ａ内で作業を行う執務者の視界に外部の様子が入らなくなり、執務者が執務作業に集中し易くなる。
したがって、本実施形態に係る執務エリア形成什器１を採用した場合には、物品載置棚１１の前方側の執務空間Ａにおいて、執務者に執務に集中し易い環境を提供することができる。
【００２４】
また、本実施形態に係る執務エリア形成什器１においては、側部パネル１３の上端部の高さＨ１が支持体１０の上端部の高さＨ２よりも低く設定されているため、支持体１０の上部領域の前方に、側部パネル１３に沿って前後方向に連続する空間部を確保することができる。このため、この空間部により、執務者が側部パネル１３による圧迫感を感じにくくなるうえ、側部パネル１３の上方の空間部を通して天井照明の光を取り込み易くなる。したがって、この構成を採用した場合には、執務空間Ａ内にいる執務者により快適な環境を提供することができる。
【００２５】
さらに、本実施形態に係る執務エリア形成什器１においては、左側の側部パネル１３の前端部に延長パネル３１（３１Ａ）が結合され、その延長パネル３１（３１Ａ）が左右方向や前後方向に沿うように床面Ｆ上に立設されているため、延長パネル３１（３１Ａ）によって執務空間Ａの形状や広がりを容易に変えることができる。したがって、この構成を採用することにより、執務空間Ａの形成時における自由度を高めることができる。
【００２６】
また、本実施形態に係る執務エリア形成什器１では、延長パネル３１が、一方の側部パネル１３の前端部に結合された状態において、左右方向に沿うように床面Ｆ上に立設され、側部パネル１３と延長パネル３１に跨るように天板４０や物品載置棚４１がこれらに支持されているため、側部パネル１３と延長パネル３１を利用して、執務空間Ａ内に天板４０や物品載置棚４１を安定した状態で設置することができる。
【００２７】
なお、本発明は上記の実施形態に限定されるものではなく、その要旨を逸脱しない範囲で種々の設計変更が可能である。
【符号の説明】
【００２８】
１  執務エリア形成什器
１０  支持体
１１  物品載置棚
１３  側部パネル
３１，３１Ａ  延長パネル
４０  天板
４１  物品載置棚
Ａ  執務空間
【図１】
2018068976.tif 000003
【図２】
2018068976.tif 000004
【図３】
2018068976.tif 000005
【図４】
2018068976.tif 000006